【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
変動表示を行う遊技機であって、
遊技機への電力供給が停止しても所定期間記憶内容を保持可能であり、制御を行う際に発生する変動データを記憶する変動データ記憶手段と、
遊技機への電力供給が開始されたときに、所定条件の成立にもとづいて前記変動データ記憶手段の記憶内容を初期化する初期化処理を実行する初期化手段と、
異常が発生したことにもとづいて、異常情報を外部出力する外部出力手段と、
異常が発生したことにもとづいて、異常報知を実行する異常報知手段と、
変動表示の実行中において所定演出を実行可能な演出実行手段と、を備え、
前記外部出力手段は、前記異常情報を外部出力しているときに遊技機への電力供給が停止し電力供給が再開され、前記初期化手段によって前記初期化処理が実行された場合には特定期間が経過するまで前記異常情報を外部出力し、前記初期化手段によって前記初期化処理が実行されなかった場合には少なくとも電力供給が停止されるまで前記異常情報を外部出力し、
前記異常報知手段は、異常報知の実行中に変動表示が実行される場合に前記所定演出に重畳して異常報知を実行可能である、
ことを特徴とする遊技機。
【手続補正２】
【補正対象書類名】明細書
【補正対象項目名】０００１
【補正方法】変更
【補正の内容】
【０００１】
本発明は、変動表示を行うパチンコ遊技機等の遊技機に関する。
【手続補正３】
【補正対象書類名】明細書
【補正対象項目名】０００８
【補正方法】変更
【補正の内容】
【０００８】
ところで、特許文献１に記載のような遊技機においては、不正行為の防止の観点で改善の余地があった。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
そこで、本発明は、不正行為の防止を強化することができる遊技機を提供することを目的とする。
【手続補正６】
【補正対象書類名】明細書
【補正対象項目名】００１１
【補正方法】変更
【補正の内容】
【００１１】
（Ａ）本発明による遊技機は、変動表示を行う遊技機（パチンコ遊技機１）であって、
遊技機への電力供給が停止しても所定期間記憶内容を保持可能であり、制御を行う際に発生する変動データを記憶する変動データ記憶手段と、
遊技機への電力供給が開始されたときに、所定条件の成立にもとづいて前記変動データ記憶手段の記憶内容を初期化する初期化処理を実行する初期化手段と、
異常が発生したことにもとづいて、異常情報を外部出力する外部出力手段と、
異常が発生したことにもとづいて、異常報知を実行する異常報知手段と、
変動表示の実行中において所定演出を実行可能な演出実行手段と、を備え、
前記外部出力手段は、前記異常情報を外部出力しているときに遊技機への電力供給が停止し電力供給が再開され、前記初期化手段によって前記初期化処理が実行された場合には特定期間が経過するまで前記異常情報を外部出力し、前記初期化手段によって前記初期化処理が実行されなかった場合には少なくとも電力供給が停止されるまで前記異常情報を外部出力し、
前記異常報知手段は、異常報知の実行中に変動表示が実行される場合に前記所定演出に重畳して異常報知を実行可能である。
このような構成によれば、不正行為の防止を強化することができる。
【手続補正７】
【補正対象書類名】明細書
【補正対象項目名】００１２
【補正方法】変更
【補正の内容】
【００１２】
（１）本発明による他の遊技機は、遊技を実行可能な遊技機（パチンコ遊技機１）であって、
前面側に遊技領域が形成される遊技盤(遊技盤６）と、
当該遊技盤を取付け可能に構成された遊技枠とを備え、
前記遊技枠には、当該遊技枠側の配線と接続された第１のコネクタと第２のコネクタとが異なる高さ（第１のコネクタと第２のコネクタとの両コネクタの差し込み方向の高さ(厚み)、または両コネクタのコネクタ上端位置が異なる）で設けられており、
前記遊技盤には、当該遊技盤側の配線と接続されるとともに前記第１のコネクタに直接接続するための第３のコネクタと、当該遊技盤側の配線と接続されるとともに前記第２のコネクタに直接接続するための第４のコネクタとが異なる高さ（第３のコネクタと第４のコネクタとの両コネクタの差し込み方向の高さ(厚み)、または両コネクタのコネクタ上端位置が異なる）で設けられており、
前記第２のコネクタは、前記第１のコネクタよりも前記遊技枠の端寄りに配置され、
前記第４のコネクタは、前記第３のコネクタよりも前記遊技盤の端寄りに配置され、
前記第２のコネクタおよび前記第４のコネクタのうちの少なくとも一方、または前記第１のコネクタおよび前記第３のコネクタのうちの少なくとも一方は、対応するコネクタを接続する際に揺動可能(フローティングコネクタで構成）であり、
前記第２のコネクタおよび前記第４のコネクタのうちの少なくとも一方の揺動可能幅は、前記第１のコネクタおよび前記第３のコネクタのうちの少なくとも一方の揺動可能幅よりも大きく(フローティングコネクタの揺動幅が大きい）、
動作を行なう可動部材と、
遊技媒体が入賞しやすい状態に変化可能な可変入賞装置と、
前記可変入賞装置に入賞した遊技媒体を検出可能な入賞検出部と、
前記可変入賞装置に入賞した後に前記入賞検出部を通過した遊技媒体を検出可能な入賞確認部と、
遊技機への電力供給が停止しても所定期間記憶内容を保持可能であり、制御を行う際に発生する変動データを記憶する変動データ記憶手段と、
遊技機への電力供給が開始されたときに、所定条件の成立にもとづいて前記変動データ記憶手段の記憶内容を初期化する初期化処理を実行する初期化手段と、
前記初期化手段による前記初期化処理の実行にもとづいて、初期化報知を実行する初期化報知手段と、
遊技機への電力供給が開始されたことにもとづいて、前記可動部材の初期動作を実行する初期動作実行手段と、
前記入賞検出部で検出された遊技媒体の数と前記入賞確認部で検出された遊技媒体の数との差分が所定数以上となる差分異常が発生したことにもとづいて、異常情報を外部出力する外部出力手段と、
前記差分異常が発生したことにもとづいて異常報知を実行する異常報知手段とをさらに備え、前記変動データ記憶手段は、遊技機への電力供給が停止しても少なくとも前記差分異常が発生したことを示す情報を所定期間保持可能であり、
前記初期動作実行手段は、前記初期化報知手段による前記初期化報知の実行を終了した後に、前記可動部材の初期動作を実行し、
前記外部出力手段は、前記異常情報を外部出力しているときに遊技機への電力供給が停止し電力供給が再開され、前記初期化手段によって前記初期化処理が実行された場合には特定期間が経過するまで前記異常情報を外部出力し、前記初期化手段によって前記初期化処理が実行されなかった場合には少なくとも電力供給が停止されるまで前記異常情報を外部出力し、
前記異常報知手段は、前記異常報知を実行しているときに遊技機への電力供給が停止し、少なくとも前記初期化手段によって前記初期化処理が実行されることなく遊技機への電力供給が再開された場合には、前記異常報知を実行しない。
このような構成によれば、遊技枠には、遊技枠側の配線と接続された第１のコネクタと第２のコネクタとが異なる高さで設けられる。遊技盤には、遊技盤側の配線と接続されるとともに第１のコネクタに直接接続するための第３のコネクタと、遊技盤側の配線と接続されるとともに第２のコネクタに直接接続するための第４のコネクタとが異なる高さで設けられる。第２のコネクタは、第１のコネクタよりも遊技枠の端寄りに配置される。第４のコネクタは、第３のコネクタよりも前記遊技盤の端寄りに配置される。そのため、遊技盤を遊技枠に取り付ける際の回転の中心から遠い外側のコネクタ（第２のコネクタまたは第４のコネクタ）の高さが回転の中心に近い内側のコネクタ（第１のコネクタまたは第３のコネクタ）の高さと異なることになり、コネクタ同士を接続する際の接触、衝突の衝撃を各コネクタに分散し、破損等を抑制することができ、メンテナンス性が向上される。さらに、通常、遊技盤を遊技枠に取り付ける際の回転の中心から遠い外側のコネクタの方が、内側のコネクタよりも、遊技盤を回転させつつコネクタ同士を接触させるときのブレが大きくなるが、第２のコネクタおよび第４のコネクタのうちの少なくとも一方の揺動可能幅を、第１のコネクタおよび第３のコネクタのうちの少なくとも一方の揺動可能幅よりも大きくすることにより、そのブレを吸収できる範囲に余裕を持たせることができる。